(57)【要約】【課題】実際の記録動作に則したＯＰＣ制御を行うことにより、クロスイレーズの影響をより確実に回避した記録レーザパワーの調整を可能とする。【解決手段】システムコントローラ１０は、ディスク内周側の第１のトラックに、レーザパワーを複数段階に変化させながら１回目のパワーキャリブレーションを実施して最適レーザパワーを決定し、外周側の第３のトラックに決定した記録レーザパワーにてテスト書き込みを実施した後、この第３のトラックをリードしてエラーレート及び／またはジッタを測定してメモリに保存し、次に第２のトラックに先ほど決定した記録レーザパワーの近傍にてレーザパワーを複数段階に変化させながら２回目のパワーキャリブレーションを実施した後、第３のトラックを再度リードしてエラーレート及び／またはジッタを測定してメモリに保存し、保存した両方のエラーレート及び／またはジッタを比較して最適な記録レーザパワーを決定する。【選択図】図１
2008186556.tif 000002
【特許請求の範囲】
【請求項１】
光ピックアップによる光ディスクへの記録に際し、記録レーザパワーの最適化を行うパワーキャリブレーションを実施するＯＰＣ制御手段を備えた光ディスク装置において、
前記ＯＰＣ制御手段は、ディスク内周側の所定領域内の第１のトラックに、レーザパワーを複数段階に変化させながら１回目のパワーキャリブレーションを実施して最適レーザパワーを決定し、前記第１のトラックから１つ飛ばして外周側の第３のトラックに、前記決定した記録レーザパワーにてテスト書き込みを実施した後、前記第３のトラックをリードしてエラーレート及び／またはジッタを測定してメモリに保存し、前記第１のトラックに隣接する外周側の第２のトラックに、前記決定した記録レーザパワーの近傍にてレーザパワーを複数段階に変化させながら２回目のパワーキャリブレーションを実施した後、前記第３のトラックを再度リードしてエラーレート及び／またはジッタを測定してメモリに保存し、保存した両方のエラーレート及び／またはジッタを比較して最適な記録レーザパワーを決定することを特徴とする光ディスク装置。
【請求項２】
光ピックアップによる光ディスクへの記録に際し、記録レーザパワーの最適化を行うパワーキャリブレーションを実施する光ディスク装置の記録レーザパワー決定方法であって、
ディスク内周側の所定領域内の第１のトラックに、レーザパワーを複数段階に変化させながら１回目のパワーキャリブレーションを実施して最適レーザパワーを決定する第１のステップと、
前記第１のトラックから１つ飛ばして外周側の第３のトラックに、前記決定した記録レーザパワーにてテスト書き込みを実施する第２のステップと、
テスト書き込みを実施した前記第３のトラックをリードしてエラーレート及び／またはジッタを測定してメモリに保存する第３のステップと、
前記第１のトラックに隣接する外周側の第２のトラックに、前記決定した記録レーザパワーの近傍にてレーザパワーを複数段階に変化させながら２回目のパワーキャリブレーションを実施する第４のステップと、
前記第４のステップの終了後に前記第３のトラックをリードしてエラーレート及び／またはジッタを測定して前記メモリに保存する第５のステップと、
前記第３のステップにて保存したエラーレート及び／またはジッタと前記第５のステップにて保存したエラーレート及び／またはジッタとを比較して最適な記録レーザパワーを決定する第６のステップと、を含むことを特徴とする光ディスク装置の記録レーザパワー調整方法。
【請求項３】
前記第５のステップの複数段階は、前記第３のステップの複数段階より段階数が少なく設定されており、かつ、各段階における記録長さも長く設定されていることを特徴とする請求項２に記載の光ディスク装置の記録レーザパワー調整方法。
【請求項４】
前記第５のステップの複数段階は、前記第１のステップで決定された記録レーザパワーからパワーを下げる方向に変化させることを特徴とする請求項２または請求項３に記載の光ディスク装置の記録レーザパワー調整方法。
【請求項５】
請求項２に記載の各ステップをコンピュータに実行させることを特徴とする記録レーザパワー調整処理プログラム。
【請求項６】
請求項５に記載の記録レーザパワー調整処理プログラムを記録したコンピュータ読み取り可能な記録媒体。
【発明の詳細な説明】
【技術分野】
【０００１】
本発明は、光ピックアップによる光ディスクへの記録に際し、記録レーザパワーの最適化（ＯＰＣ：Optimum Power Control）を実施するＯＰＣ制御手段を備えた光ディスク装置、記録レーザパワー調整方法、記録レーザパワー調整処理プログラム及び記録媒体に関する。
【背景技術】
【０００２】
ＣＤ（Compact Disc）やＤＶＤ（Digital Versatile Disk）等の高倍速の光ディスクでは、ディスクの記録感度が高く、またジッタを最小にするために、記録レーザパワーを高くする必要がある。そのため、記録中のトラックに対して、隣接する前後のトラックが上書き消去されてしまうといった、クロスイレーズが発生する可能性があった。そこで、このようなクロスイレーズを考慮に入れた記録レーザパワーの調整が必要となる。従来、このようなクロスイレーズの影響を考慮した記録パワー調整方法が提案されている（例えば、特許文献１参照）。
【０００３】
この記録パワー調整方法は、高密度条件、特に狭トラックピッチにおける最適記録パワーの調整方法であって、テスト領域内の隣接する３トラックのうち中心トラックに記録レーザパワーを変化させながら所定パターンの信号を記録し、両側に隣接するトラックに所定パターンの信号を、記録レーザパワーを同一タイミングで変化させながら記録する。そして、中心トラックを再生して再生信号特性を測定し、再生信号特性に基づいて最適記録パワーを調整する構成となっている。
【特許文献１】特開２００３−２０３３４６号公報
【発明の開示】
【発明が解決しようとする課題】
【０００４】
すなわち、従来は、１つのトラックのみに記録を行って記録レーザパワーの調整を行っていたものを、上記特許文献１では、隣接する３トラックに同じパターンで同期をとって記録レーザパワーを変化させながら記録し、その後、中央のトラックを再生することで、隣接するトラックに記録したときの影響を考慮した記録レーザパワーの決定を行っている。
【０００５】
しかし、上記特許文献１では、隣接する３トラックのそれぞれに、記録レーザパワーを同期をとって変化させながら、同じパターンでデータを記録する必要があるため、記録レーザパワーの制御、すなわちＯＰＣ制御が複雑になるといった問題があった。また、上記特許文献１は、あくまで同じパターンのデータ同士の影響を考慮した調整方法であり、実際の記録動作に則した正確な調整ができているかどうか不透明であるといった問題もあった。
【０００６】
本発明はかかる問題点を解決すべく創案されたもので、その目的は、実際の記録動作に則したＯＰＣ制御を行うことにより、クロスイレーズの影響をより確実に回避した記録レーザパワーの調整が可能な光ディスク装置、記録レーザパワー調整方法、記録レーザパワー調整処理プログラム及び記録媒体を提供することにある。
【課題を解決するための手段】
【０００７】
上記課題を解決するため、本発明の光ディスク装置は、光ピックアップによる光ディスクへの記録に際し、記録レーザパワーの最適化を行うパワーキャリブレーションを実施するＯＰＣ制御手段を備えた光ディスク装置において、前記ＯＰＣ制御手段は、ディスク内周側の所定領域内の第１のトラックに、レーザパワーを複数段階に変化させながら１回目のパワーキャリブレーションを実施して最適レーザパワーを決定し、前記第１のトラックから１つ飛ばして外周側の第３のトラックに、前記決定した記録レーザパワーにてテスト書き込みを実施した後、前記第３のトラックをリードしてエラーレート及び／またはジッタを測定してメモリに保存し、前記第１のトラックに隣接する外周側の第２のトラックに、前記決定した記録レーザパワーの近傍にてレーザパワーを複数段階に変化させながら２回目のパワーキャリブレーションを実施した後、前記第３のトラックを再度リードしてエラーレート及び／またはジッタを測定してメモリに保存し、保存した両方のエラーレート及び／またはジッタを比較して最適な記録レーザパワーを決定することを特徴としている。
【０００８】
また、本発明の光ディスク装置の記録レーザパワー調整方法は、光ピックアップによる光ディスクへの記録に際し、記録レーザパワーの最適化を行うパワーキャリブレーションを実施する光ディスク装置の記録レーザパワー決定方法であって、ディスク内周側の所定領域内の第１のトラックに、レーザパワーを複数段階に変化させながら１回目のパワーキャリブレーションを実施して最適レーザパワーを決定する第１のステップと、前記第１のトラックから１つ飛ばして外周側の第３のトラックに、前記決定した記録レーザパワーにてテスト書き込みを実施する第２のステップと、テスト書き込みを実施した前記第３のトラックをリードしてエラーレート及び／またはジッタを測定して保存する第３のステップと、前記第１のトラックに隣接する外周側の第２のトラックに、前記決定した記録レーザパワーの近傍にてレーザパワーを複数段階に変化させながら２回目のパワーキャリブレーションを実施する第４のステップと、前記第４のステップの終了後に前記第３のトラックをリードしてエラーレート及び／またはジッタを測定して保存する第５のステップと、前記第３のステップにて保存したエラーレート及び／またはジッタと前記第５のステップにて保存したエラーレート及び／またはジッタとを比較して最適な記録レーザパワーを決定する第６のステップと、を含むことを特徴としている。
【０００９】
すなわち、本発明では、ディスク内周側の所定領域内の第１のトラックに、レーザパワーを複数段階（例えば、１０段階等）に変化させながら１回目のパワーキャリブレーションを実施して最適レーザパワーを決定し、この第１のトラックから１つ飛ばして外周側の第３のトラックに、決定した記録レーザパワーにて実際にテスト書き込みを実施する構成としている。そして、このようなテスト書き込みを行った後、第３のトラックをリードしてエラーレート及び／またはジッタを測定してメモリに保存する。
【００１０】
次に、第１のトラックに隣接する外周側の第２のトラックに、先程決定した記録レーザパワーの近傍にてレーザパワーを複数段階に変化させながら２回目のパワーキャリブレーションを実施する。すなわち、このときの記録レーザパワーの変化幅は、すでに１回目のパワーキャリブレーションによってほぼ最適な記録レーザパワーが得られていることから、この得られた記録レーザパワーを基準として、１回目より少ない変化幅とする。例えば、１回目は１０段階で行っていたパワーキャリブレーションを、この２回目では例えば４段階で行う。この場合、パワーを変化させる方向は、１回目で得られた記録レーザパワーを基準として、これよりパワーを減少させる方向に変化させる。この場合、変化の段階も１回目より少ないことから、各段階における記録長さを１回目より長く設定することができる。これにより、クロスイレーズの影響を判定するに十分な記録長が確保でき、正確な判定を行うことができる。この後、第３のトラックをリードしてエラーレート及び／またはジッタを測定してメモリに保存する。
【００１１】
そして、メモリに最初に保存したエラーレート及び／またはジッタと、２回目に保存したエラーレート及び／またはジッタとを比較して、最適な記録レーザパワーを決定する。具体的には、エラーレートまたはジッタのいずれかが最小となる記録レーザパワーを決定する。
【００１２】
このように、本発明では、従来通り１回目のパワーキャリブレーション（ＯＰＣ制御）を行って、最適な記録レーザパワーをまず決定し、その記録レーザパワーにてテスト書き込みを行った後、テスト書き込みを行ったトラックをリードしてエラーレート及び／またはジッタを測定し、その後、１回目で決定した最適な記録レーザパワーを基準として、隣接するトラックに２回目のパワーキャリブレーション（ＯＰＣ制御）を実施し、その後、テスト書き込みを行ったトランクを再びリードしてエラーレート及び／またはジッタを測定しているので、実際の書き込み時に発生するクロスイレーズを忠実に再現したエラーレート及び／またはジッタの測定が可能となる。これにより、クロスイレーズの影響をより確実に低減した最適な記録レーザパワーを決定することが可能となる。
【００１３】
なお、上記の記録レーザパワー調整方法は、その各ステップをコンピュータに実行させるための記録レーザパワー調整処理プログラムとして提供することが可能であり、また、この記録レーザパワー調整処理プログラムは、コンピュータ読み取り可能な記録媒体に記録して提供することが可能である。記録媒体の一例としては、マスクＲＯＭやフラッシュメモリといった半導体記憶素子、ハードディスク、フレキシブルディスク、ＭＯディスク、ＣＤ−ＲＯＭ、ＤＶＤ−ＲＯＭ、ＩＣカード等を挙げることができる。
【発明の効果】
【００１４】
本発明によれば、従来通り１回目のパワーキャリブレーションを行って、最適な記録レーザパワーをまず決定し、その記録レーザパワーにてテスト書き込みを行った後、テスト書き込みを行ったトラックをリードしてエラーレート及び／またはジッタを測定し、その後、１回目で決定した最適な記録レーザパワーを基準として、隣接するトラックに２回目のパワーキャリブレーションを実施し、その後、テスト書き込みを行ったトランクを再びリードしてエラーレート及び／またはジッタを測定し、両測定結果を比較して最適な記録レーザパワーを決定しているので、実際の書き込み時に発生するクロスイレーズを忠実に再現したエラーレート及び／またはジッタの測定が可能となる。これにより、クロスイレーズの影響をより確実に低減した最適な記録レーザパワーを決定することができる。
【発明を実施するための最良の形態】
【００１５】
以下、本発明の実施の形態について、図面を参照して説明する。
【００１６】
図１は、本発明の記録レーザパワー調整方法を実現する光ディスク装置のシステム構成図を示している。
【００１７】
光ディスク１にデータを書き込むとともに、書き込んだデータを読み取る光ピックアップ３の出力は、ＲＦアンプ５を介してデジタル信号処理回路７に接続されており、デジタル信号処理回路７の出力は、光ピックアップ３によるデータの書き込み時及び読み出し時のレーザ出力を制御するレーザドライバ８に接続されている。また、サーボ処理回路９の出力は、光ピックアップ３を光ディスク１の半径方向に移動させるためのフィードモータ４と光ディスク１を回転駆動するスピンドルモータ２とに接続されており、これらデジタル信号処理回路７及びサーボ処理回路９は、装置全体を制御するシステムコントローラ１０と双方向に接続されている。
【００１８】
また、デジタル信号処理回路７には、ディスクへの書き込み動作時や再生動作時にデータを一時的に蓄積するバッファとしての例えばＤＲＡＭ６が双方向に接続されているとともに、デジタルデータをアナログデータに変換してＣＲＴ等の表示装置２１に出力するＤ／Ａ変換回路１２が接続されている。
【００１９】
システムコントローラ１０には、パワーキャリブレーションの実施結果である記録レーザパワーの最適値のデータを格納しておくためのメモリ部である例えばＥＥＰＲＯＭ１１が接続されている。また、システムコントローラ１０には、テンキーや各種機能キーを有するリモコン１８からの赤外線信号を受信する受信部１４が接続されている。
【００２０】
デジタル信号処理回路７は、ＥＦＭ変調及び復調や、ＣＩＲＣ（Cross Interleaved Reed-Solomon Code ）による誤り訂正方式に従って、１６ビットの信号を８ビットずつに区切り、その８ビットを１４ビットに変換するといった処理等を行う。
【００２１】
システムコントローラ１０は、装填された光ディスク１への情報の記録に先立ち、記録レーザパワーの最適化を行うパワーキャリブレーション（ＯＰＣ制御）を実施する。そして、その実施結果（すなわち、記録レーザパワーの最適値のデータ）をＥＥＰＲＯＭ１１に保存する処理を実行する。
【００２２】
ここで、システムコントローラ１０は、ＯＰＣ制御に際し、ディスク内周側の所定領域内の第１のトラックに、レーザパワーを複数段階に変化させながら１回目のパワーキャリブレーションを実施して最適レーザパワーを決定し、第１のトラックから１つ飛ばして外周側の第３のトラックに、決定した記録レーザパワーにてテスト書き込みを実施した後、第３のトラックをリードしてエラーレート及び／またはジッタを測定してメモリに保存する。次に、第１のトラックに隣接する外周側の第２のトラックに、上記で決定した記録レーザパワーの近傍にてレーザパワーを複数段階に変化させながら２回目のパワーキャリブレーションを実施した後、第３のトラックを再度リードしてエラーレート及び／またはジッタを測定してメモリに保存する。そして、保存した両方のエラーレート及び／またはジッタを比較して最適な記録レーザパワーを決定する処理を実施する。すなわち、本実施形態では、システムコントローラ１０によって請求項に記載のＯＰＣ制御手段が実現されている。
【００２３】
以下、システムコントローラ１０におけるＯＰＣ制御について、図２に示すフローチャート、及び図３に示すパワーキャリブレーション処理の説明図を参照して具体的に説明する。
【００２４】
本装置では、光ディスク１に最初にデータを記録する前に、記録レーザパワーの最適化（ＯＰＣ制御）を行っている。
【００２５】
すなわち、図３（ａ）に示すように、ディスク内周側の所定領域（パワーキャリブレーションエリア（ＰＣＡ））内の任意のトラック（ここでは、第１のトラックという。）Ｔ１に、レーザパワーを複数段階（本実施形態では、Ｐ１〜Ｐ１０の１０段階）に変化させながら１回目のパワーキャリブレーションを実施して（ステップＳ１）、最適レーザパワーを決定する。（ステップＳ２）。すなわち、記録レーザパワーの異なるデータを記録し、その記録したデータを再生することで、最適レーザパワーを決定している。ここでは、記録レーザパワーとしてＰ９が決定されたとする。
【００２６】
次に、この段階での最適な記録レーザパワーＰ９が決定されると、この第１のトラックＴ１から１つ飛ばして外周側の第３のトラックＴ３に、決定した記録レーザパワーＰ９にて実際にテスト書き込みを実施する（ステップＳ３）。図３（ｂ）はこのときの状態を示している。
【００２７】
そして、このようなテスト書き込みを行った後、第３のトラックＴ３を光ピックアップ３にてリードして、エラーレート及び／またはジッタを測定し（ステップＳ４）、その測定結果をＥＥＰＲＯＭ１１の所定の領域に保存する（ステップＳ５）。
【００２８】
次に、第１のトラックＴ１に隣接する外周側の第２のトラック（すなわち、第３のトラックＴ３に隣接する内周側のトラック）Ｔ２に、先程決定した記録レーザパワーＰ３の近傍にてレーザパワーを複数段階に変化させながら２回目のパワーキャリブレーションを実施する（ステップＳ６）。すなわち、このときの記録レーザパワーの変化幅は、すでに１回目のパワーキャリブレーションによってほぼ最適な記録レーザパワーＰ９が得られていることから、この得られた記録レーザパワーＰ９を基準として、１回目より少ない変化幅とする。例えば図３（ｃ）に示すように、１回目は１０段階（Ｐ１０〜Ｐ１の幅）で行っていたパワーキャリブレーションを、この２回目では４段階（例えば、Ｐ９，Ｐ７，Ｐ５，Ｐ３の４段階：全体の幅はＰ９〜Ｐ３の幅）で行う。この場合、パワーを変化させる方向は、１回目で得られた記録レーザパワーＰ９を基準として、これよりパワーを減少させる方向に変化させている。また、変化の段階も１回目より少ないことから、各段階における記録長さＬ２を１回目の記録長さＬ１より長く設定することができる。これにより、クロスイレーズの影響を判定するに十分な記録長が確保でき、正確な判定を行うことができる。
【００２９】
この後、第３のトラックＴ３を光ピックアップ１にてリードして、エラーレート及び／またはジッタを再度測定し（ステップＳ７）、ＥＥＰＲＯＭ１１の所定の領域に保存する（ステップＳ８）。
【００３０】
次に、ＥＥＰＲＯＭ１１に最初に保存したエラーレート及び／またはジッタと、２回目に保存したエラーレート及び／またはジッタとを比較して、最適な記録レーザパワーを決定する（ステップＳ９）。図３（ｄ）はこの状態を示している。決定方法は、エラーレートまたはジッタのいずれかが最小となる記録レーザパワーとする。
【００３１】
このように、本実施形態では、従来通り１回目のパワーキャリブレーション（ＯＰＣ制御）を行って、最適な記録レーザパワーをまず決定し、その記録レーザパワーにてテスト書き込みを行った後、テスト書き込みを行ったトラックをリードしてエラーレート及び／またはジッタを測定している。（ステップＳ１〜ステップＳ３、及び図３（ａ），（ｂ））。
【００３２】
その後、１回目で決定した最適な記録レーザパワーを基準として、隣接するトラックに２回目のパワーキャリブレーションを実施し、その後、テスト書き込みを行ったトランクを再びリードしてエラーレート及び／またはジッタを再度測定している（ステップＳ４〜ステップＳ６、図３（ｃ），（ｄ））。これにより、実際の書き込み時に発生するクロスイレーズを忠実に再現したエラーレート及び／またはジッタの測定が可能となり、その結果、クロスイレーズの影響をより確実に低減した最適な記録レーザパワーを決定することが可能となる。
【００３３】
なお、上記実施形態では、１回目のパワーキャリブレーションでのレーザパワーの各段階での変化幅に対して、２回目のキャリブレーションでのレーザパワーの各段階での変化幅を２倍の幅としているが、各段階での変化幅は１回目も２回目も同じ変化幅としてもよい。すなわち、上記実施形態では、２回目の４段階の変化をＰ９，Ｐ７，Ｐ５，Ｐ３としているが、１回目と同様の変化幅で、Ｐ９，Ｐ８，Ｐ７，Ｐ６の４段階としてもよい。
【００３４】
また、上記実施形態では、エラーレートとジッタの両方を測定しているが、いずれか一方のみの測定で最適な記録レーザパワーを決定してもよい。
【図面の簡単な説明】
【００３５】
【図１】本発明のディスク装置の一実施形態のシステム構成図である。
【図２】システムコントローラにおけるＯＰＣ制御を説明するためのフローチャートである。
【図３】パワーキャリブレーション処理の説明図である。
【符号の説明】
【００３６】
１  光ディスク
２  スピンドルモータ
３  ピックアップ
４  フィードモータ
５  ＲＦアンプ
６  ＳＲＡＭ
７  デジタル信号処理回路
８  レーザドライバ
９  サーボ処理回路
１０  システムコントローラ
１１  ＥＥＰＲＯＭ
１２  Ｄ／Ａ変換回路
１４  受信部
１８  リモコン
２１  表示装置
【図１】
2008186556.tif 000003
【図２】
2008186556.tif 000004
【図３】
2008186556.tif 000005